(57)【特許請求の範囲】
【請求項１】
方形の上面開口を有する上面開口有底容器と、該上面開口有底容器の上記上面開口に張設され果実等の物品を収納するための柔軟な凹部が塑性変形により形成された方形の吊下用合成樹脂フィルムとからなり、上記吊下用合成樹脂フィルムを上記上面開口に張設した状態で上記凹部に果実等の物品を宙吊り状態で収納し得る果実等の物品の収納トレーにおいて、
上記吊下用合成樹脂フィルムの少なくとも対向２辺に沿う各端縁に各々係合片を接合すると共に、上記両係合片に対応する上記上面開口有底容器の上面開口対向縁部に、上記係合片が係合し得る下向係合溝を各々設け、
上記各係合片の各々の内側端縁に上記フィルムに接合せずに上記フィルムの裏面側に位置する延長片部を形成し、
上記吊下用合成樹脂フィルムを上記上面開口に宛がい上記吊下用合成樹脂フィルムの上記両延長片部を対応する上記下向係合溝に各々挿入した状態において、上記吊下用合成樹脂フィルムの戻りテンションによって上記各延長片部が対応する上記下向係合溝内に係合した状態を維持するように構成し、
上記各延長片部と上記下向係合溝との上記係合により上記吊下用合成樹脂フィルムを上記上面開口に張設した状態で取り付け可能に構成したものであることを特徴とする果実等の物品の収納トレー。
【請求項２】
方形の上面開口を有する上面開口有底容器と、該上面開口有底容器の上記上面開口に張設され果実等の物品の上部を被覆するために上記上面開口に張設される方形の柔軟な被覆用合成樹脂フィルムとからなる果実等の物品の収納トレーにおいて、
上記被覆用合成樹脂フィルムの少なくとも対向２辺に沿う各端縁に各々係合片を接合すると共に、上記両係合片に対応する上記上面開口有底容器の上面開口対向縁部に、上記係合片が係合し得る下向係合溝を各々設け、
上記各係合片の各々の内側端縁に上記フィルムに接合せずに上記フィルムの裏面側に位置する延長片部を形成し、
上記被覆用合成樹脂フィルムを上記容器内の果実等の物品の上部に被覆し、上記被覆用合成樹脂フィルムの上記両延長片部を対応する上記下向係合溝に各々挿入した状態において、上記被覆用合成樹脂フィルムの戻りテンションによって上記各延長片部が対応する上記下向係合溝内に係合した状態を維持し得るように構成し、
上記各延長片部と上記下向係合溝との上記係合により上記被覆用合成樹脂フィルムを上記上面開口に張設した状態で取り付け可能に構成したものであることを特徴とする果実等の物品の収納トレー。
【請求項３】
請求項１記載の果実等の物品の収納トレーにおいて、
上記上面開口有底容器の上記上面開口に張設され果実等の物品の上部を被覆するための柔軟な方形の被覆用合成樹脂フィルムを設け、
上記被覆用合成樹脂フィルムの少なくとも対向２辺に沿う各端縁に各々係合片を接合すると共に、上記各係合片の各々の内側端縁に上記被覆用合成樹脂フィルムに接合せずに上記フィルムの裏面側に位置する延長片部を形成し、
上記被覆用合成樹脂フィルムを上記容器内の果実等の物品の上部に被覆し、上記被覆用合成樹脂フィルムの上記両延長片部を上記容器の対応する下向係合溝に各々挿入した状態において、上記被覆用合成樹脂フィルムの戻りテンションによって上記各延長片部が対応する上記下向係合溝内に係合した状態を維持し得るように構成し、
上記各延長片部と上記下向係合溝との上記係合により上記被覆用合成樹脂フィルムを上記上面開口に張設した状態で取り付け可能に構成したものであることを特徴とする果実等の物品の収納トレー。
【請求項４】
上記上面開口有底容器の四辺の上記上面開口に沿って上記下向係合溝を設け、
上記吊下用合成樹脂フィルムの一対の上記係合片を上記上面開口の一対の対向辺における上記下向係合溝に係合し、
上記被覆用合成樹脂フィルムの一対の上記係合片を上記上面開口の他の一対の対向辺における上記下向係合溝に係合したものである請求項３記載の果実等の物品の収納トレー。
【請求項５】
上記被覆用合成樹脂フィルムは、上記上面開口有底容器内に収納された果実等の物品の上部を被覆するための柔軟な凸部が塑性変形により形成されているものであることを特徴とする請求項２〜４の何れかに記載の果実等の物品の収納トレー。
【請求項６】
上記下向係合溝に突起部を形成し、上記延長片部に上記突起部に対応する切欠部を形成し、上記延長片部を上記下向係合溝に係合した状態において、上記切欠部に上記突起部が位置するように構成したものであることを特徴とする請求項１〜５の何れかに記載の果実等の物品の収納トレー。
【請求項７】
上記下向係合溝は上記上面開口から外方向に設けられた断面「コ」字状の下向係合溝から構成されており、
上記下向係合溝の縦方向の深さｂは、上記下向係合溝の上底部の横幅ａ、上記下向係合溝の下開口部の横幅ａ’とすると、
ｂ＞ａ  かつ  ｂ＞ａ’
の関係を有しているものである請求項１〜６の何れかに記載の果実等の物品の収納トレー。
【発明の詳細な説明】
【技術分野】
【０００１】
本発明は、苺等の果実或いは他の物品を収納する果実等の物品の収納トレーに関するものであり、柔軟な吊下用又は被覆用の合成樹脂フィルムをトレー（上面開口有底容器）に着脱自在とした果実等の物品の収納トレーに関するものである。
【背景技術】
【０００２】
従来、柔軟な合成樹脂フィルムに複数の果実収納凹部を塑性変形により形成し、当該フィルムを硬質なトレー（上面開口有底容器）の開口部に張設し、当該フィルムの果実収納凹部が上記トレー底面に接触しないように構成することで、当該果実収納凹部内に苺等の果実を宙吊り収納する果実収納トレーが提案されている（特許文献１）。
【先行技術文献】
【特許文献】
【０００３】
【特許文献１】特開２００８−８１１９５号
【発明の概要】
【発明が解決しようとする課題】
【０００４】
ところで、上記特許文献１の果実収納トレーにおいて、その合成樹脂フィルムとトレーは、接着剤又は溶着等の手段により接着されているため、上記合成樹脂フィルムの果実収納凹部に果実を収納して輸送等に使用した後、果実を果実収納凹部から取り出した後は、再利用されることなく廃棄されていた。
【０００５】
また、上記果実収納トレーにおいて、硬質なトレーの部分は本来再利用可能であるが、上記トレーを再利用するためには上記合成樹脂フィルムを上記トレーから分離することが必要である。しかしながら、上記合成樹脂フィルムは上記トレーに接着剤等により接着されているため、上記トレーからの合成樹脂フィルムの分離に多くの手間を要するという課題があった。
【０００６】
そこで、特許文献１のような果実収納トレーにおいて、果実を確実に宙吊り収納する一方、使用後においては、硬質なトレーと柔軟な合成樹脂フィルムを容易に分離できるような構造が望まれている。
【０００７】
本発明は上記従来の課題に鑑みてなされたものであり、柔軟な合成樹脂フィルムを硬質なトレー（上面開口有底容器）に容易に着脱することができ、トレーの部分の再利用等を可能とした果実等の物品の収納トレーを提供することを目的とする。
【課題を解決するための手段】
【０００８】
上記の目的を達成するため本発明は、
第１に、方形の上面開口を有する上面開口有底容器と、該上面開口有底容器の上記上面開口に張設され果実等の物品を収納するための柔軟な凹部が塑性変形により形成された方形の吊下用合成樹脂フィルムとからなり、上記吊下用合成樹脂フィルムを上記上面開口に張設した状態で上記凹部に果実等の物品を宙吊り状態で収納し得る果実等の物品の収納トレーにおいて、上記吊下用合成樹脂フィルムの少なくとも対向２辺に沿う各端縁に各々係合片を接合すると共に、上記両係合片に対応する上記上面開口有底容器の上面開口対向縁部に、上記係合片が係合し得る下向係合溝を各々設け、上記各係合片の各々の内側端縁に上記フィルムに接合せずに上記フィルムの裏面側に位置する延長片部を形成し、上記吊下用合成樹脂フィルムを上記上面開口に宛がい上記吊下用合成樹脂フィルムの上記両延長片部を対応する上記下向係合溝に各々挿入した状態において、上記吊下用合成樹脂フィルムの戻りテンションによって上記各延長片部が対応する上記下向係合溝内に係合した状態を維持するように構成し、上記各延長片部と上記下向係合溝との上記係合により上記吊下用合成樹脂フィルムを上記上面開口に張設した状態で取り付け可能に構成したものであることを特徴とする果実等の物品の収納トレーにより構成される。
【０００９】
このように構成すると、係合片（８，８）と下向係合溝（９，９）との係合により吊下用合成樹脂フィルム（５）を上面開口有底容器（３）の上面開口（２）に張設することができ、上記吊下用合成樹脂フィルム（５）を上記容器（３）に張設するにあたり、接着剤或いは溶着等の手法を用いる必要がない。従って、使用後は吊下用合成樹脂フィルム（５）を上記容器（３）から容易に取り外すことができ、上記容器（３）を容易に再利用することができる。
【００１０】
第２に、方形の上面開口を有する上面開口有底容器と、該上面開口有底容器の上記上面開口に張設され果実等の物品の上部を被覆するために上記上面開口に張設される方形の柔軟な被覆用合成樹脂フィルムとからなる果実等の物品の収納トレーにおいて、上記被覆用合成樹脂フィルムの少なくとも対向２辺に沿う各端縁に各々係合片を接合すると共に、上記両係合片に対応する上記上面開口有底容器の上面開口対向縁部に、上記係合片が係合し得る下向係合溝を各々設け、上記各係合片の各々の内側端縁に上記フィルムに接合せずに上記フィルムの裏面側に位置する延長片部を形成し、上記被覆用合成樹脂フィルムを上記容器内の果実等の物品の上部に被覆し、上記被覆用合成樹脂フィルムの上記両延長片部を対応する上記下向係合溝に各々挿入した状態において、上記被覆用合成樹脂フィルムの戻りテンションによって上記各延長片部が対応する上記下向係合溝内に係合した状態を維持し得るように構成し、上記各延長片部と上記下向係合溝との上記係合により上記被覆用合成樹脂フィルムを上記上面開口に張設した状態で取り付け可能に構成したものであることを特徴とする果実等の物品の収納トレーにより構成される。
【００１１】
このように構成すると、被覆用合成樹脂フィルム（１０）の係合片（８，８）と下向係合溝（９’，９’）との係合により被覆用合成樹脂フィルム（１０）を上面開口有底容器（３）に張設することができ、上記被覆用合成樹脂フィルム（１０）を上記容器（３）に張設するにあたり、接着剤或いは溶着等の手法を用いる必要がない。従って、使用後は被覆用合成樹脂フィルム（１０）を上記容器（３）から容易に取り外すことができ、上記容器（３）を容易に再利用することができる。
【００１２】
第３に、上記第１記載の果実等の物品の収納トレーにおいて、上記上面開口有底容器の上記上面開口に張設され果実等の物品の上部を被覆するための柔軟な方形の被覆用合成樹脂フィルムを設け、上記被覆用合成樹脂フィルムの少なくとも対向２辺に沿う各端縁に各々係合片を接合すると共に、上記各係合片の各々の内側端縁に上記被覆用合成樹脂フィルムに接合せずに上記フィルムの裏面側に位置する延長片部を形成し、上記被覆用合成樹脂フィルムを上記容器内の果実等の物品の上部に被覆し、上記被覆用合成樹脂フィルムの上記両延長片部を上記容器の対応する下向係合溝に各々挿入した状態において、上記被覆用合成樹脂フィルムの戻りテンションによって上記各延長片部が対応する上記下向係合溝内に係合した状態を維持し得るように構成し、上記各延長片部と上記下向係合溝との上記係合により上記被覆用合成樹脂フィルムを上記上面開口に張設した状態で取り付け可能に構成したものであることを特徴とする果実等の物品の収納トレーにより構成される。
【００１３】
このように構成すると、果実等の物品を宙吊り収納し得る吊下用合成樹脂フィルム（５）を上面開口有底容器（３）に張設することができ、果実等の物品を宙吊り包装し得ると共に、上記物品の上部を被覆用合成樹脂フィルム（１０）により保護することができる。また、上記吊下用合成樹脂フィルム（５）及び上記被覆用合成樹脂フィルム（１０）を上記容器（３）に張設するにあたり、接着剤或いは溶着等の手法を用いる必要がないので、使用後は吊下用合成樹脂フィルム（５）及び被覆用合成樹脂フィルム（１０）を上記容器（３）から容易に取り外すことができ、上記容器（３）を容易に再利用することができる。
【００１４】
第４に、上記上面開口有底容器の四辺の上記上面開口に沿って上記下向係合溝を設け、上記吊下用合成樹脂フィルムの一対の上記係合片を上記上面開口の一対の対向辺における上記下向係合溝に係合し、上記被覆用合成樹脂フィルムの一対の上記係合片を上記上面開口の他の一対の対向辺における上記下向係合溝に係合したものである上記第３記載の果実等の物品の収納トレーにより構成される。
【００１５】
このように構成すると、吊下用合成樹脂フィルム（５）を上記容器（３）の一対の対向辺における下向係合溝（９，９）に係合し、被覆用合成樹脂フィルム（１０）を他の一対の対向辺における下向係合溝（９’，９’）に係合することができ、両フィルム（５，１０）を各専用の下向係合溝（９，９’）を以って確実に容器（３）に張設することができる。
【００１６】
第５に、上記被覆用合成樹脂フィルムは、上記上面開口有底容器内に収納された果実等の物品の上部を被覆するための柔軟な凸部が塑性変形により形成されているものであることを特徴とする上記第２〜４の何れかに記載の果実等の物品の収納トレーにより構成される。
【００１７】
このように構成すると、被覆用合成樹脂フィルム（１０）の凸部（１１）により果実等の物品の上部を被覆することができるため、収納物品に対して傷等を付けることなく、収納物品を保護することができる。
【００１８】
第６に、上記下向係合溝に突起部を形成し、上記延長片部に上記突起部に対応する切欠部を形成し、上記延長片部を上記下向係合溝に係合した状態において、上記切欠部に上記突起部が位置するように構成したものであることを特徴とする上記第１〜５の何れかに記載の果実等の物品の収納トレーにより構成される。
【００１９】
このように構成すると、係合片（８，８）の容器（３）に対するズレを防止して、合成樹脂フィルム（５，１０）を容器（３）に確実に張設することができる。
【００２０】
第７に、上記下向係合溝は上記上面開口から外方向に設けられた断面「コ」字状の下向係合溝から構成されており、上記下向係合溝の縦方向の深さｂは、上記下向係合溝の上底部の横幅ａ、上記下向係合溝の下開口部の横幅ａ’とすると、「ｂ＞ａ  かつ  ｂ＞ａ’」の関係を有しているものである上記第１〜６の何れかに記載の果実等の物品の収納トレーにより構成される。
【００２１】
このように構成すると、合成樹脂フィルム（５又は１０）の戻りテンション（矢印Ｒ又はＲ’方向）が作用することにより、係合片（８）が下向係合溝（９又は９’）に係合した状態が維持されるので、上記合成樹脂フィルム（５又は１０）を確実に上面開口有底容器（３）に張設することができる。
【発明の効果】
【００２２】
本発明は上述のように、吊下用合成樹脂フィルム又は被覆用合成樹脂フィルムを上面開口有底容器に張設するにあたり、接着剤或いは溶着等の手法を用いる必要がないため、収納トレーの使用後、即ち、果実等の物品の取り出し後は、吊下用合成樹脂フィルム又は被覆用合成樹脂フィルムを上記上面開口有底容器から容易に取り外すことができ、従って、使用後の上面開口有低容器を再利用することができ、収納トレーのリサイクル性を飛躍的に向上させることができる。
【００２３】
また、吊下用合成樹脂フィルムだけではなく、被覆用合成樹脂フィルムを併せて使用する場合においても、何れのフィルムも接着剤、溶着等の手法を用いることなく、上記開口有底容器に張設可能であるため、同様に、収納トレーのリサイクル性を飛躍的に向上させることができる。
【００２４】
また、接着剤等を用いることなく、係合片と下向係合溝との係合により、簡単かつ確実に吊下用合成樹脂フィルム又は被覆用合成樹脂フィルムを上面開口有底容器に張設することができるし、各フィルムの上記容器からの取り外しも極めて容易に行い得るものである。
【図面の簡単な説明】
【００２５】
【図１】本発明に係る果実等の物品の収納トレーの分解斜視図である。
【図２】同上収納トレーと被覆用合成樹脂フィルムを示す斜視図である。
【図３】（ａ）（ｂ）は各々同上収納トレーの吊下用合成樹脂フィルムと下向係合溝との係合の状態を示す一部拡大断面図である。
【図４】（ａ）〜（ｃ）は各々同上収納トレーの吊下用合成樹脂フィルムを下向係合溝に係合していく状態を示す下向係合溝近傍の一部断面斜視図である。
【図５】同上収納トレーのトレーに吊下用合成樹脂フィルムを張設する状態を示す図であり、（ａ）は同上フィルムの一部平面図、（ｂ）は同上トレーの側面図である。
【図６】同上収納トレーのトレーに吊下用合成樹脂フィルムを張設する状態を示す図であり、（ａ）は同上フィルムの一部平面図、（ｂ）は同上トレーの側面図である。
【図７】同上収納トレーのトレーに吊下用合成樹脂フィルムを張設する状態を示す図であり、（ａ）は同上フィルムの一部平面図、（ｂ）は同上トレーの側面図である。
【図８】同上収納トレーのトレーに吊下用合成樹脂フィルムを張設する状態を示す図であり、（ａ）は同上フィルムの一部平面図、（ｂ）は同上収納トレーの側面図である。
【図９】同上フィルムを製造する状況を示す側面断面図である。
【図１０】同上収納トレーの側面断面図である。
【図１１】同上収納トレーの分解斜視図である。
【図１２】同上収納トレーの斜視図である。
【図１３】被覆用合成樹脂フィルムのみを使用した場合の同上収納トレーの図である。
【発明を実施するための形態】
【００２６】
以下、本発明に係る果実等の物品の収納トレーを詳細に説明する。尚、以下の説明において、収納される果実として苺と桃を例に説明するが、収納物はこれに限らず、他の果実或いは果実以外の物品（例えば野菜等の食品、食品以外であれば電子部品等）であっても良い。また、本明細書において、単にトレーという場合は上面開口有底容器３を意味し、上面開口有底容器３に吊下用合成樹脂フィルム５、又は被覆用合成樹脂フィルム１０を張設したものを果実等の物品の収納トレー、又は単に収納トレーという。
【００２７】
図１に示すように、本発明に係る果実等の物品の収納トレー１は、方形（本実施形態では長方形）の上面開口２を有する上面開口有底容器（トレー）３と、該上面開口有底容器３の上記上面開口２に張設され果実等の物品を宙吊り収納するための複数の柔軟な凹部４が塑性変形により形成された柔軟な方形（本実施形態では長方形）の吊下用合成樹脂フィルム５とからなり、上記吊下用合成樹脂フィルム５を上記上面開口２に張設した状態（上記合成樹脂フィルム５を張設状態の収納トレー１を図２に示す）で上記複数の凹部４に果実等の物品（本実施形態では苺）を宙吊り状態で収納し得るものである。
【００２８】
上記上面開口有底容器３は、合成樹脂により一体成型された硬質のものであり、底面６には上記吊下用合成樹脂フィルム５の凹部４に苺を収納した場合に、苺の底部下方に空間S’（図８（ｂ）参照）を形成して苺Ｆを宙吊り状態とするための凹部６ａが複数凹設されている。尚、上記凹部６ａは上記合成樹脂フィルム５の上記凹部４の形成位置に対応する位置に凹設されている。
【００２９】
また、上記底面６における４つの上記凹部６ａに囲まれた中央部には上向突起７（３箇所）が形成されている。この上向突起７は、上記合成樹脂フィルム５を上記上面開口２に張設したとき、上記上向突起７の上面７ａが上記合成樹脂フィルム５の裏面５ｂに当接し、上記上面開口２の縁部２ａと共に、上記合成樹脂フィルム５の凹部４内に収納された苺Ｆを宙吊り状態に支持するものである（図２、図８（ｂ）参照）。
【００３０】
上記吊下用合成樹脂フィルム５は、その厚さが１０μｍ〜３００μｍの極めて薄い柔軟性のあるフィルムであり、その材質はポリエチレン、ポリプロピレン、ポリウレタン、ポリスチレン等の薄膜透明又は半透明の熱可塑性合成樹脂フィルムが用いられる。尚、以下の実施形態において、上記吊下用合成樹脂フィルム５の厚さは例えば３０〜１５０μｍとする。
【００３１】
この吊下用合成樹脂フィルム１は、図１に示すように、平坦面（表面）５ａに長手方向に４個の凹部４を２列に形成し、合計８個の凹部４が熱による塑性変形により形成されている。上記凹部４の個数及び凹部の形状は任意であり、収納する物品の個数、形状により変更可能である。
【００３２】
このような吊下用合成樹脂薄フィルム５は、図９に示す真空成型法により形成することができる。即ち、複数の凹部２０が形成され、さらに複数の吸引用貫通孔２１が形成された略直方体形状の金型２２を網状板２３上に水平に載置し、当該金型２２上に加熱して軟化させた合成樹脂薄フィルム５を被覆し、その状態で上記吸引用貫通孔２１を介して真空吸引（矢印ｙ方向）することで、図１に示す柔軟な凹部４を有する柔軟な吊下用合成樹脂薄フィルム５を形成することができる。
【００３３】
この吊下用合成樹脂薄フィルム５は、成型後においては図１に示すような形状を維持しているが、その厚さが極めて薄いため、凹部４を含め全体的に柔軟性を有しており、２つ折り或いは３つ折りに折り畳む等によりコンパクトに収納できるし、上下方向に積み重ねた場合は上記凹部４が上下方向に不定形に圧縮された状態となり、多数の合成樹脂フィルム５を積み重ねても嵩張らずに収納、運搬が可能となる。尚、上記凹部４等は不定形に圧縮した後においても、塑性変形しているため元の形状を維持しており、物品を収納することに関して何ら支障はない。
【００３４】
このような上記吊下用合成樹脂フィルム５の少なくとも対向２辺に沿う各端縁５’，５’に各々細長板状の係合片８，８を接合（例えば接着剤による接着等）すると共に、上記両係合片８，８に対応する上記上面開口有底容器３の上記上面開口対向縁部３’，３’に、上記係合片８，８が係合し得る断面下向「コ」字状の下向係合溝９，９を各々設ける（図３参照）。そして、上記各係合片８，８の各々の内側端縁８ａ，８ａに上記フィルム５に接着（接合）せずに上記フィルム５の裏面５ｂ側に位置する延長片部８ｂ，８ｂを、上記係合片８，８の略全長に亘り形成する。
【００３５】
上記係合片８及び延長片部８ｂ，８ｂは、細長い略長方形の板状に形成されたものであり、厚さ１ｍｍ程度の厚紙或いは合成樹脂板により一体的に形成されている。上記係合片８と上記フィルム５との接合は、上記係合片８，８の上面側の外側端部８ｃ，８ｃ（図１中ハッチングを施した部分）が上記合成樹脂フィルム５の裏面５ｂ側と接着されており、上記延長片部８ｂ，８ｂの上面８ｂ’，８ｂ’と上記合成樹脂フィルム５の裏面５ｂ側は接着されていない（図３（ａ）(ｂ)参照）。
【００３６】
従って、図３(ａ)（ｂ)に示すように、上記係合片８は、合成樹脂フィルム５の端縁５’を中心縁として矢印Ｐ方向（上記延長片部８ｂ，８ｂが上記フィルム５の裏面５ｂから離間する方向）に回動可能に構成されている。
【００３７】
また、上記フィルム５の上記両端縁５’，５’間の長さＴ１（短辺側の長さＴ１）は、当該フィルム５を上記上面開口有底容器３の上面開口２に張設したとき、上記平坦面５ａがピンと張った状態（図２のような張設状態）となるような長さに設定されている。
【００３８】
また、上記吊下用合成樹脂フィルム５を、上記上面開口２に宛がい上記吊下用合成樹脂フィルム５を張設しながら（矢印Ｓ，Ｓ方向に引っ張りながら）、上記フィルム５を互いに対向する方向（矢印Ｑ方向）に折り曲げて、上記両係合片８，８を互いに対向する方向（矢印Q方向）に回動させて（図３（ａ）参照）、上記両延長片部８ｂ，８ｂを対応する上記下向係合溝９，９に、図３（ｂ）、図８のように、各々挿入した状態において（図７、図８参照）、上記吊下用合成樹脂フィルム５の戻りテンション（矢印Ｒ，Ｒ方向のテンション）によって、図３（ｂ）に示すように、両係合片８が略「ハ」の字状に傾斜した状態で、上記各延長片部８ｂ，８ｂが対応する上記下向係合溝９内に係合した状態を維持するように構成し、上記各延長片部８ｂ，８ｂと上記下向係合溝９，９との上記係合により、上記吊下用合成樹脂フィルム５を上記上面開口２に張設した状態が維持されるように構成する。
【００３９】
より具体的には、上記係合片８，８に上記戻りテンション（矢印Ｒ方向のテンション）が作用すると、図３（ｂ）、図８に示すように、上記係合片８は上記端縁５’を中心縁として矢印Ｐ方向に回動するが、上記延長片部８ｂの先端部８ｂ”が上記下向係合溝９，９の内側コーナー部９ａに当接することで上記係合片８の矢印Ｐ方向の回動が阻止され、かかる状態で左右の戻りテンションが釣り合って、上記左右の係合片８，８が対応する上記下向係合溝９，９に係合した状態が維持され（図８の状態）、その結果、上記合成樹脂フィルム５は上記上面開口２にピンと張った状態（張設状態）で上記上面開口２の閉鎖状態を維持する（図２参照）。
【００４０】
この状態では、上記係合片８，８は図３（ｂ）に示すように、水平状態から先端部８ｂ”を内側に若干傾けた略起立状態となり、上記戻りテンション（矢印Ｒ方向）が作用しても矢印Ｐ方向の回転が阻止された係合状態が維持される。
【００４１】
上記係合片８，８の図３（ｂ）に示す上記下向係合溝９，９への係合状態が維持されるためには、図３（ａ）に示すように、上記下向係合溝９，９の上底部の横幅をａ、下向係合溝９，９の下開口部の横幅をａ’、上記下向係合溝９，９の縦方向の深さをｂとすると、「ｂ＞ａかつｂ＞ａ’」の関係が成立するように構成することが好ましい。さらに、上記延長片部８ｂの幅をｃとすると、ｃ＞ｂとすることが好ましい。即ち、上記ａ，ａ’，ｂ，ｃの関係は、「ａ＜ａ’＜ｂ＜ｃ＜（ａ＋ｂ）」とすることが好ましい。尚、ｂ≦ａ又はｂ≦ａ’とすると（ｂがａ又はａ’に等しいか或いは小さい場合）、上記戻りテンション（矢印Ｒ方向）による係合片８，８の矢印Ｐ方向の回転を阻止することが難しくなり、上記フィルム５の上記上面開口２への張設状態を維持できなくなる場合がある。
【００４２】
また、図１に示すように、上記下向係合溝９内には、所定間隔を以って３箇所に下向きの突起部１２が形成されており、一方、上記係合片８の上記延長片部８ｂ，８ｂには上記突起部１２に対応する３箇所の位置に切欠部８ｄを形成し、上記係合片８を上記下向係合溝９に係合した状態において、上記切欠部８ｄに上記突起部１２が位置するように構成している。これにより、上記延長片部８ｂを上記係合溝９に係合した状態において、上記係合片８のズレ（主に、容器３の長辺方向のズレ）を防止するものである。また上記突起部１２は上記係合溝（フランジ部）９，９’の変形を防止して補強する機能を有する。尚、突起部１２の形状、大きさ、数は収納する内容物等に応じて適宜設定し、形成することができる。
【００４３】
本発明は上述のように構成されているため、以下本発明の果実等の物品の収納トレー１を構成する手順を説明する。
【００４４】
まず、上面開口有底容器３の上面開口２に吊下用合成樹脂フィルム５を宛がう。このとき、上記フィルム５の長辺側の係合片８，８を上記上面開口有底容器３の長辺側の上記下向係合溝９，９に対応させた状態で宛がう（図５（ａ）(ｂ)、図４（ａ）の状態）。
【００４５】
そして、上記合成樹脂フィルム５の両側の上記係合片８，８を図５、図６、図３（ａ）に示すように矢印Ｐ方向に回転し、上記延長片部８ｂを上記フィルム５裏面５ｂから離間させてから、図７、図４（ｃ）に示すように、上記フィルム５を上記上面開口有底容器３の上面開口２に被せ、上記フィルム５の長辺の端縁５’を上記上面開口２の縁部２ａに接触させた状態で、上記フィルム５を張設しながら（矢印Ｓ，Ｓ方向にテンションをかけながら）、上記係合片８，８及び両端部のフィルム５を互いに対向する方向（矢印Q方向）に折り曲げて（回動させて）、上記延長片部８ｂ，８ｂを上記下向係合溝９，９内に挿入係合する（図７、図８参照）。
【００４６】
すると、上記吊下用合成樹脂フィルム５の矢印Ｒ，Ｒ方向の戻りテンションによって上記係合辺８，８は端縁５’を中心縁として矢印Ｐ方向に若干回転するが、かかる回転により上記延長片部８ｂの先端部８ｂ”が上記下向係合溝９内の内側コーナー部９ａに当接して当該係合片９，９の上記下向係合溝９，９内における係合状態が維持される（図３（ｂ）、図８（ｂ）の状態）。
【００４７】
このとき、上記下向係合溝９はｂ＞ａ，ｂ＞ａ’の上記条件を満たしているので、上記係合片８はその先端部８ｂ”を上記コーナー部９ａに当接した状態で起立した状態（図８（ｂ）に示す略「ハ」の字傾斜状態）を維持するので、上記戻りテンション（矢印Ｒ方向）が作用しても上記係合状態を維持し得る。よって、かかる係合状態において、吊下用合成樹脂フィルム５は上記上面開口有底容器３の上面開口２にピンと張った状態で張設することができ（この状態を図２に示す）、これにより果実等の物品の収納トレー１を形成することができる。
【００４８】
その後は、苺Ｆを上記吊下用合成樹脂フィルム５の各凹部４内に収納すれば良い。上記凹部４内に苺Ｆを収納すると、凹部４を構成する柔軟なフィルム５は苺Ｆの下半部（下部）に密着して苺Ｆを保持すると共に、上記凹部４内の苺Ｆは、上記縁部２ａと上記上向突起７の上面７ａによって宙吊り状態で収納支持される（図８（ｂ）参照）。
【００４９】
このとき、苺Ｆを上記凹部４内に収納すると、苺Ｆの重量により上記合成樹脂フィルム５に上記戻りテンション（矢印Ｒ方向）が作用する。しかしながら、上記戻りテンション（矢印Ｒ方向）が作用すると上記係合片８，８に矢印Ｐ方向の回転力が作用して、上記延長片部８ｂの先端部８ｂ”と上記コーナー部９ａとの係合が維持される。よって、上記苺Ｆの重量による戻りテンション（矢印Ｒ方向）が作用しても、係合片８と上記下向係合溝９との係合状態は維持され、上記苺Ｆを宙吊り状態で確実に収納支持することができる。
【００５０】
上記苺Ｆを上記収納トレー１から取り出した後は、上記係合片８，８を上記下向係合溝９，９から取り外せば良い。具体的には、上記係合片８，８を矢印Ｑとは反対方向に回動することで、上記係合片８，８と上記下向係合溝９，９との係合を解除した後、当該フィルム５を上記容器３から取り外せば良い。上記吊下用合成樹脂フィルム５は、上記容器３から取り外した後は容易に廃棄することができる。
【００５１】
一方、上記フィルム５を取り外した上面開口有底容器３は、フィルム５と接着剤又は溶着等による接着箇所等が全く存在しないので、そのまま再利用することができる。具体的には、上記容器３の上面開口２に新たな吊下用合成樹脂フィルム５を同様に張設することで、上記容器３をそのまま再利用することができる。
【００５２】
図１０に示すものは、図２に示すように本発明の果実等の物品の収納トレー１の凹部４に苺Ｆを宙吊り収納した状態において、苺Ｆの上部（上半部）を被覆するための方形の被覆用合成樹脂フィルム１０を示すものである（図２に斜視図を示す）。この被覆用合成樹脂フィルム１０は、上記吊下用合成樹脂フィルム５と同様の薄い柔軟な合成樹脂フィルムからなるものであるが、上記フィルム５と異なり、果実の上部（上半部）を被覆するための柔軟な凸部１１が塑性変形により形成されたものである。上記凸部１１は上記吊下用合成樹脂フィルム５の凹部４に対応して８個（４個の凸部１１が２列に）設けられている。尚、この被覆用合成樹脂フィルム１０も上記吊下用合成樹脂フィルム５と同様の図９の真空成型法により形成されている。
【００５３】
そして、図２に示すように、上記被覆用合成樹脂フィルム１０の少なくとも対向２辺（上記吊下用合成樹脂フィルム５の係合片８，８が形成された長辺とは異なる対向２辺（短辺））に沿う各端縁１０’，１０’に各々係合片８，８を接合すると共に、上記各係合片８，８の各々の内側端縁８ａ，８ａに上記フィルム１０に接合せずに上記フィルムの裏面側１０ｂに位置する延長片部８ｂ，８ｂが形成されている。即ち、上記被覆用合成樹脂フィルム１０に接着された係合片８，８の構成は、上記吊下用合成樹脂フィルム５に形成された係合片８，８と同様の構成からなるものである。
【００５４】
また、上記上面開口有底容器３の上面開口２の短辺側の対向２辺（上面開口対向縁３”、３”）には断面下向「コ」字状の下向係合溝９’，９’が各々形成されている（図２参照）。尚、図１、図２に示す上記容器３はその上面開口２の開口端部の全周に亘り下向係合溝９又は９’が連続して形成されている（図２、図１２参照）。
【００５５】
従って、上記上面開口２に上記吊下用合成樹脂フィルム５を張設し上記凹部４に果実等の物品（例えば苺Ｆ）を宙吊り収納した状態において（図１０参照）、上記被覆用合成樹脂フィルム１０の各凸部１１により上記各苺Ｆの上部（上半部）を被覆した状態で上記上面開口２に宛がい、上記被覆用合成樹脂フィルム１０を張設しながら上記両係合片８，８及び上記フィルム１０の両端部を互いに対向する方向に折り曲げて（回動させて）、上記延長片部８ｂ，８ｂを対応する短辺側の上記下向係合溝９’,９’に各々挿入した状態において、上記合成樹脂フィルム１０の戻りテンション（矢印Ｒ’方向、図２、図１２参照）によって上記各延長片部８ｂ，８ｂが対応する上記下向係合溝９’，９’内に係合した状態となるように構成する。
【００５６】
このように、上記各延長片部８ｂ，８ｂと上記下向係合溝９’，９’との上記係合状態を維持することにより、上記被覆用合成樹脂フィルム１０を上記被覆用合成樹脂フィルム１０の上記上面開口２に張設した状態で取り付けることができる（図１０の２点鎖線参照）。尚、上記延長片部８ｂ，８ｂと上記下向係合溝９’，９’との係合は図３（ｂ）に示す係合状態と同様である。
【００５７】
このように構成すると、宙吊り状態に収納支持した苺Ｆの上半部を被覆用合成樹脂フィルム１０で保護することができ、安全に傷付けることなく苺Ｆを包装することができる。
【００５８】
また、苺Ｆを取り出す場合は、上記被覆用合成樹脂フィルム１０をその係合片８，８と下向係合溝９’，９’との係合を解除して苺Ｆから取り外した後、苺Ｆを凹部４から取り出し、その後は、吊下げ用合成樹脂フィルム５をその係合片８，８と下向係合溝９，９との係合を解除して容器３から取り外せば良い。この場合においても、上記フィルム１０，５と上記容器３は何ら接着剤等による接着は行われていないので、上記被覆用合成樹脂フィルム１０及び吊下用合成樹脂フィルム５を取り外した後、上記容器３を何ら支障なく再利用することができる。
【００５９】
図１１に示すものは、果実として桃Ｆを２個収納するための収納トレー１を示すものである。
【００６０】
尚、図１１の実施形態において、上記図１及び図２で示した実施形態と同一部分については同一符号を付す。この実施形態における上面開口有底容器３は、その底面６には図１に示すような凹部６ａは存在せず、また上向突起７も存在しない。吊下用合成樹脂フィルム５は桃Ｆの下部（下半部）を支持するための柔軟な凹部４が２個隣接して形成されており、当該フィルム５の係合片８，８を上記実施形態と同様の方法にて容器３の下向係合溝９，９に係合することで上記容器３の上面開口２に張設する。
【００６１】
また、この実施形態における被覆用合成樹脂フィルム１０は同図に示すように、そのフィルム１０表面には凸部１１は形成されておらず、平坦なフィルム１０により構成されている。この合成樹脂フィルム１０は幅が狭い帯状に形成されており、一対の短辺側に上記実施形態と同様の係合片８，８が形成されている。
【００６２】
よって、上記吊下用合成樹脂フィルム５を容器３の上面開口２に張設し、上記凹部４，４に果実としての桃Ｆを収納して桃Ｆを宙吊り状態で支持した後、その桃Ｆの上面側において、容器３の長手方向に沿って被覆するように被覆用合成樹脂フィルム１０を中央に宛がい、その係合片８，８を上記容器の下向係合溝９’，９’側に係合することで、同フィルム１０を張設することができる（図１２参照）。尚、係合片８，８と下向係合溝９’，９’との係合状態は上記図３（ｂ）と同様である。
【００６３】
かかる実施形態の収納トレー１によると、桃等の果実を宙吊り状態で収納支持し得ると共に、その上面側を被覆して、上記収納果実を保護することができる。また、この実施形態においても、上記被覆用合成樹脂フィルム１０及び吊下用合成樹脂フィルム５は上記容器から容易に取り外すことができ、上記各フィルム１０，５と上記容器３とは何ら接着等されていないので、上記合成樹脂フィルム１０，５を取り外した後は、上記容器３をそのまま再利用することができる。
【００６４】
尚、上記図２、図１０〜図１２の実施形態では、容器３に吊下用合成樹脂フィルム５を張設して果実等の物品を宙吊り収納してから、被覆用合成樹脂フィルム１０を果実等の物品の上部に被覆する構成を説明したが、図１３に示すように、上記吊下用合成樹脂フィルム５を用いることなく、上面開口有底容器３に直接果実等の物品を収納し、収納果実の上部を被覆用合成樹脂フィルム１０で被覆するように構成しても良い。
また、上記吊下用合成樹脂フィルム５は下向係合溝９，９に係合し、被覆用合成樹脂フィルム１０は上記係合溝９，９とは９０度異なる位置の下向係合溝９’，９’に係合する場合を説明したが、両フィルム５，１０の係合片８を同一方向に設け、何れのフィルム５，１０も例えば同一の下向係合溝９，９に係合するように構成しても良い。
【００６５】
本発明は以上のように、吊下用合成樹脂フィルム５又は被覆用合成樹脂フィルム１０を上面開口有底容器３に張設するにあたり、接着剤、粘着剤或いは溶着等の接合手法を用いる必要がないため、収納トレー１の使用後、即ち、果実等の物品の取り出し後は、吊下用合成樹脂フィルム５又は被覆用合成樹脂フィルム１０を上記上面開口有底容器３から容易に取り外すことができ、従って、使用後の上面開口有低容器３を再利用することができ、収納トレー１のリサイクル性を飛躍的に向上させることができる。
【００６６】
また、吊下用合成樹脂フィルム５だけではなく、被覆用合成樹脂フィルム１０を併せて使用する場合においても、何れのフィルム５，１０も接着剤、粘着剤、溶着等の手法を用いることなく、上記開口有底容器３に張設可能であるため、同様に、収納トレー１のリサイクル性を飛躍的に向上させることができる。
【００６７】
また、接着剤等を用いることなく、係合片８と下向係合溝９又は９’との係合により、簡単かつ確実に吊下用合成樹脂フィルム５又は被覆用合成樹脂フィルム１０を上面開口有底容器３に張設することができるし、各フィルム５，１０の上記容器３からの取り外しも極めて容易に行い得るものである。
【００６８】
また、吊下用合成樹脂フィルム５、或いは被覆用合成樹脂フィルム１０の何れの場合も、係合片８，８が存在しない対向辺は、上面開口有底容器３と接合されずに開口しているため、張設時の収納トレー１内外の通気性を確保することができ、特に果実等の食品を収納する場合に非常に有効である。
また、果実等の物品の収納トレー１が上面開口有底容器３、上記吊下用合成樹脂フィルム５又は被覆用合成樹脂フィルム１０のパーツ別にスタッキング保管及び運送が可能であり、フィルム類は嵩張らないため、保管効率、運送効率を高めることもできる。
また、使用後に各パーツに分離が容易であるため、使用後パーツの分別回収を容易に行うこともできる。
【産業上の利用可能性】
【００６９】
本発明の果実等の物品の収納トレーは、苺等の果実の緩衝宙吊り包装に適しているが、果実に限らず野菜等の食品の他、電子部品、電気機器の緩衝宙吊り包装用の収納トレーとしても利用することができるものである。
【符号の説明】
【００７０】
１              果実等の物品の収納トレー
２              上面開口
３              上面開口有底容器（トレー）
３’，３’      上面開口対向縁部
３”，３”      上面開口対向縁部
４              凹部
５              吊下用合成樹脂フィルム
５ｂ            裏面
５’，５’      対向２辺に沿う各端縁（端縁）
８              係合片
８ａ            内側端縁
８ｂ            延長片部
８ｄ            切欠部
９，９’        下向係合溝
１０            被覆用合成樹脂フィルム
１０ｂ          裏面
１０’，１０’  対向２辺に沿う各端縁（端縁）
１１            凸部
１２            突起部
ａ，ａ’        横幅
ｂ              深さ
Ｒ              戻りテンション
【図１】
0005476243.tif 000002
【図２】
0005476243.tif 000003
【図３】
0005476243.tif 000004
【図４】
0005476243.tif 000005
【図５】
0005476243.tif 000006
【図６】
0005476243.tif 000007
【図７】
0005476243.tif 000008
【図８】
0005476243.tif 000009
【図９】
0005476243.tif 000010
【図１０】
0005476243.tif 000011
【図１１】
0005476243.tif 000012
【図１２】
0005476243.tif 000013
【図１３】
0005476243.tif 000014